(57)【要約】  本発明はネットワークを介してメディアコンテンツを伝送するシステム、方法およびコンピュータプログラムプロダクトに関する。システムは、コンテンツプロバイダ（２１０）と、少なくとも１つのクライアント装置（２８０）と、これらの間に設定されたネットワーク接続（２９０）と、さらにメディアコンテンツを格納するデータベース（２２０）とを含む。コンテンツプロバイダ（２１０）は、クライアントが求めるコンテンツを特定するクライアント装置（２８０）からのリクエストを受信するように設定される。リクエストは一定のリクエストであり、コンテンツプロバイダ（２１０）は、クライアント（２８０）に伝送されるコンテンツを動的に選択するように設定される。
2008514974.tif 000002
【特許請求の範囲】
【請求項１】
ネットワークを介してメディアコンテンツを伝送し、コンテンツプロバイダ（１，２１０）と、少なくとも１つのクライアント装置（３，２８０）と、これらの間に設定されたネットワーク接続（２９０）とを含むシステムであって、メディアコンテンツを格納するデータベース（４，２２０）をさらに含み、コンテンツプロバイダ（１，２１０）は、少なくとも１つのクライアント装置（３，２８０）からのリクエスト（１３）を受信するように設定され、リクエスト（１３）はクライアントが求めるコンテンツを特定するシステムにおいて、
リクエスト（１３）は一定のリクエストであり、
コンテンツプロバイダ（１，２１０）は、伝送されるコンテンツを動的に選択するように設定されることを特徴とするシステム。
【請求項２】
コンテンツプロバイダ（１，２１０）は、リクエスト（１３）以外の他の特徴に着目し、その特徴に応じてコンテンツを選択することを特徴とする請求項１記載のシステム。
【請求項３】
前記他の特徴は、メディアコンテンツが伝送される場所の状況であることを特徴とする請求項２記載のシステム。
【請求項４】
選択されたコンテンツを格納するための、クライアントごとのクライアントアカウント（１１）を有することを特徴とする請求項１〜３のいずれか1項に記載のシステム。
【請求項５】
クライアントアカウント（１１）を制御する手段（１２，２３０）を備えることを特徴とする請求項４記載のシステム。
【請求項６】
クライアントアカウントに新たなメディア要素を挿入する手段（２４０）を備えることを特徴とする請求項４または５記載のシステム。
【請求項７】
メディアコンテンツの特徴を定義する手段（１５）を備えることを特徴とする請求項１〜６のいずれか１項に記載のシステム。
【請求項８】
一定のリクエストは音楽スタイルを求めるリクエストであり、動的に選択されるコンテンツにシングル曲が含まれることを特徴とする請求項１〜７のいずれか１項に記載のシステム。
【請求項９】
一定のリクエストは仮想ディスクジョッキーを求めるリクエストであることを特徴とする請求項１〜８のいずれか１項に記載のシステム。
【請求項１０】
クライアント装置は、コンテンツプロバイダ（１）によって提供されるユーザインターフェースを含むことを特徴とする請求項１〜９のいずれか１項に記載のシステム。
【請求項１１】
ネットワークを介して、メディアコンテンツをコンテンツプロバイダ（１）から少なくとも１つのクライアント装置（３）に伝送する方法であって、少なくとも１つのクライアント装置（３）からのリクエスト（１３）がコンテンツプロバイダ（１）によって受信され、リクエスト（１３）はクライアントの求めるコンテンツを特定する方法において、
一定のリクエスト（１３）が受信されて、その後、伝送されるコンテンツが動的に選択されることを特徴とする方法。
【請求項１２】
リクエスト（１３）以外の他の特徴が着目されて、その特徴にも応じてコンテンツが選択されることを特徴とする請求項１１記載の方法。
【請求項１３】
メディアコンテンツが伝送される場所の状況に関連する他の特徴が定義されることを特徴とする請求項１１または１２記載の方法。
【請求項１４】
選択されたコンテンツが、クライアントアカウント（１１）に動的に格納されることを特徴とする請求項１１〜１３のいずれか１項に記載の方法。
【請求項１５】
選択されたコンテンツには、クライアントアカウント（１１）に動的に格納されるメディア要素が含まれることを特徴とする請求項１１〜１４のいずれか１項に記載の方法。
【請求項１６】
クライアントアカウントが、メディア要素の量および最近伝送されたメディア要素を検査することによって制御されることを特徴とする請求項１５記載の方法。
【請求項１７】
新たなメディア要素がクライアントアカウントに追加されることを特徴とする請求項１６記載の方法。
【請求項１８】
メディアコンテンツが、種々の特色によって特徴付けられ、データベース（４）に格納されることを特徴とする請求項１１〜１７のいずれか１項に記載の方法。
【請求項１９】
音楽コンテンツを選択するための、少なくとも１つの仮想ディスクジョッキーを備えることを特徴とする請求項１１〜１８のいずれか１項に記載の方法。
【請求項２０】
ネットワークを介してメディアコンテンツを伝送するためのコンピュータプログラムプロダクトであって、クライアント装置からのリクエストを受信する命令を含むコンピュータ読み取り可能なプログラムを格納するための記憶手段を含み、リクエストはクライアントが求めるコンテンツを特定するコンピュータプログラムプロダクトにおいて、
リクエストは一定のリクエストであり、前記プログラムは、伝送されるコンテンツをリクエストに基づいて動的に選択する命令を含むことを特徴とするコンピュータプログラムプロダクト。
【請求項２１】
前記命令は、リクエスト以外の他の特徴に着目し、その特徴に応じてコンテンツを選択するように設定されていることを特徴とする請求項２０記載のコンピュータプログラムプロダクト。
【発明の詳細な説明】
【発明の詳細な説明】
【０００１】
発明の技術分野
本発明は、一般に、ネットワークを介してメディアコンテンツを提供する方法、システムおよびコンピュータプログラムプロダクトに関する。リクエストがネットワークを介してコンテンツプロバイダに伝送され、これによって、コンテンツプロバイダからクライアントにコンテンツが伝送される。
【０００２】
発明の背景
酒場、バーおよびナイトクラブは、環境を活気づけるための巨大な因子である。サービス提供者は、通常、生バンドだけでなくレコードを使って音楽を提供する。通常、たとえば混雑しない時間帯では、サービス提供者は、常時ＣＤまたはラジオをかける。前者の場合、普通は使用人が音楽変更を担当する。通常、１枚のディスクが始めから終わりまで再生され、続いて別のディスクが開始される。後者の場合、ラジオが話をはさむことなく音楽を連続して提供することは稀であり、音楽は一般にプレイリストに編成され、プレイリストは変更することができない。さらに、著作権の監視が困難である。
【０００３】
混雑時においては、ディスクジョッキー（ＤＪ）もサービスの場にいることもある。一般に、ＤＪは、サービス提供者が注文した、あるいは、彼／彼女自身の選択による音楽スタイルを再生する。ＤＪはまた、顧客からの希望を募る。ＤＪによっては一定のスタイルを有する者もあり、そのスタイルに従って、サービス提供者はどのＤＪに注文するかを決めることができる。ＤＪは音楽選択の基礎となる膨大な知識を有している。
【０００４】
ネットワーク経由での音楽伝送は、個人的な聴取者が音楽を聞きダウンロードする一般的な方法となっている。この技術分野における熟練者には、たとえばインターネット経由で、音楽を伝送するための幾多の方法および技術が判るであろう。音楽ファイルが、クライアントのパーソナルコンピュータで再生されるべく、遠隔サーバから伝送される。音楽サービスは、音楽選択のための種々の方法を提供する。購買者は、再生するために、もしくは独自のシングル曲プレイリストを構成するために、１ないし多くの楽曲を選択し、または、音楽サービスプロバイダが選択した完全なプレイリストを選択することができる。
【０００５】
しかし、これらの音楽サービスは、前述のように、主として個人によって利用される。現在の音楽サービスの特徴は、レストランまたは他の公共サービスにおけるサービス提供者が必要とするものではない。理由は明白であり、インターネット準拠の音楽サービスが、必ずしも信頼できるパートナーをサービス提供者に提供しないし、楽曲を選択する作業があまりに多くの時間を要し得るからである。
【０００６】
そうすると必要になるのは、音楽などのメディアコンテンツを公共サービスに提供するために使用することが可能で、サービス提供者の貢献を過大に（または全く）必要としないシステムである。さらに、そのシステムは、やはり音楽コンテンツをリアルタイムで動的に提供し、やはりサービス提供者の要求を満たすようなコンテンツを提供すべきである。
【０００７】
発明の要約
したがって、本発明の目的は、メディアコンテンツの選択処理を自動化し、広範なデータライブラリを対象とした知的データベース検索を提供することである。
【０００８】
本発明の他の目的は、所望のコンテンツをデータベースから抽出して、それをサービス提供者に動的に提供することである。
【０００９】
本発明のさらに他の目的は、サービス提供者のスタイルに適し、一日のうちの時間帯のみならず雰囲気にも適するようなメディアコンテンツを提供することである。
【００１０】
より厳密には、本発明によるシステムは、音楽伝送のリクエストが一定のリクエストであり、コンテンツプロバイダが、伝送されるコンテンツを動的に選択するように構成されることを、主に特徴とする。本発明による方法は、一定のリクエストが受信され、これによって、伝送されるコンテンツが動的に選択されることを、主に特徴とする。コンピュータプログラムプロダクトは、リクエストが一定のリクエストであり、プログラムは、これに基づいて、伝送されるコンテンツを動的に選択する命令を含むことを、主に特徴とする。
【００１１】
本発明の他の特徴は、添付した従属請求項に示されている。
本発明は、関連技術のシステムと比較して、多くの利点を提供する。本発明によれば、たとえば音楽コンテンツを、リアルタイムで容易に選択することができる。サービス提供者は、音楽選択のための自己の責任を軽減する可能性を与えられるが、それでもなお、趣味よく選択され、サービス提供者の要望に合致した音楽を受信することができる。所望のメディアコンテンツは、サービス提供者からの静的な注文リクエストに基づいて選択される。しかしながら、この選択は動的になされ、これによって、伝送自体は動的に変動する楽曲を含むことになる。
【００１２】
このシステムを用いて、所望のコンテンツを受信者に宛てることが可能であり、これによって、システムは、（データ伝送がこのシステムの重要な要素であるにしても）データ伝送よりもむしろ現在の難問に対処する。なぜなら、システムが、数人のクライアントのために、１つのデータベース（ライブラリ）から所望のメディアコンテンツまたはスタイルを選択することを可能にするからである。さらに、このシステムは、音楽伝送の法的根拠および著作権のリアルタイムでの信頼できる監視を達成するという、現在の音楽技術の要請に対処する。このシステムを使用することで、再生時間およびクライアントを詳細な態様で報告し、したがって、著作権使用料を正しく著作者に宛てることができる。
【００１３】
本発明は、広範なデータベースからの所望のデータの自動抽出を可能にするので、データ管理の難問に解法を与える。
【００１４】
添付の図面と組み合わせて以下の説明を読むことで、本発明についてより深い理解が得られるであろう。ただし、これらは、決して本発明の範囲を限定することを意図したものではない。本発明のさらなる目的および利点も、以下の説明において考慮されている。発明そのものは、請求項において詳細に定義される。
【００１５】
好ましい実施形態の詳細な説明
本発明は、人工知能を備えた分散型対話式仮想ＤＪシステムに関する。本システムによって、デジタルメディアコンテンツ（たとえば、音楽）を送信し、受信することができる。本システムにおいては、送信および受信の処理は、人工知能のおかげで、自動的になされる。自動送信および自動受信は、データベースに格納されているメディアコンテンツファイルが必要量のメタデータを含むので、受信装置が、所望のメディアコンテンツおよび他の情報のみを受信することを、その事象の際に行動するためのユーザなしで、行い得ることを意味する。したがって、本システムは、意味ネットワークの特徴を利用する。以下の説明では、明確さのために、特定の用語を使用するが、これらの用語は、図面に示すために選択された発明の特定の構成のみを参照するために意図されたものであって、本発明を定義し、または本発明の範囲を限定することを意図したものではない。説明において、「コンテンツプロバイダ」という語は、メディアライブラリを管理し、本発明によるメディアコンテンツ伝送を提供する主体を指す。コンテンツプロバイダは、メディアコンテンツを、この例においてはレストラン、酒場、バーなどである「公共サービス」に伝送する。公共サービスとは、このような種類のコンテンツ提供を必要とするほぼあらゆるサービスであり得る点に注意すべきである。さらに、公共サービスに加えて、個人、消費者も、ラジオとして、または、たとえばパーティにおけるＤＪとして、メディアコンテンツ伝送を利用することができる。「メディアコンテンツ」とは、一般にメディアタイプを指すが、説明では一例として音楽を使用する。
【００１６】
図１は、システムの１つの可能な構成を示す。本発明によるシステムは、デジタルメディアコンテンツを格納するデータベース４とサーバ２とを含み、メディアコンテンツにはサーバ２を介して到達可能である。本説明においては、システムはＤＪの行動をシミュレートする。このために、データベース４は、専門のＤＪが仕事で使用しているようなメタデータが付加された、オーディオファイルを格納する（ビデオファイルおよびテキストファイルも可能である）。メタデータは、少なくとも演奏者の名前を含み、楽曲の名前が定義されてもよいが、ジャンル、年度、起源、国際性、ヒットレート（hit rate）、質、テンポ、パーティレート（party rate）、シングアロング（sing-along）などの他のパラメータの1つまたは多くが定義されてもよい。当然、スクリーンショットまたは音楽ビデオなどの、楽曲用に設定され得る他のデータも存在する。データベース４は、たとえば、ＭｙＳＱＬ／ＳＱＬ−データベースであり得る。データベース４には新たなメディア要素が追加されるが、その前に、それらはＣＤ、ビニル盤などのレコードからデジタル形式に変換され、さらに圧縮されて音楽データファイル（１４）とされる。オーディオ圧縮は、たとえば、Ｏｇｇ Ｖｏｒｂｉｓ法によって行うことができるが、ＭＰ３、Ｒｅａｌ Ａｕｄｉｏ、ＷＭＡ（Windows Media Audio）,ＡＡＣ（Advanced Audio Coding）などの他の周知の方法によって行うこともできる。楽曲は、種々のパラメータによって特徴付けられる（１５）。システムは、受信側において仮想ＤＪキャラクタを含んでもよい。このＤＪキャラクタは、独自のユーザインターフェースを有するように生成され、クライアント（たとえばレストランなど）の必要／要求に応じて指定することができる。さらに、メディアファイルを探す検索エンジンも存在し、これを用いて、たとえばリクエストまたはジュークボックス様動作に対して、あらゆるファイルをライブラリから選択することができる。
【００１７】
楽曲にメタデータを定義する際、好ましくは専門的な支援を利用する。たとえば、１人以上のＤＪが、その楽曲を特徴付けるために、データベース４にアクセスし得る。データベース４中のメディアライブラリに新たな歌またはレコードが追加されるごとに、ＤＪ５はそれを特徴付けるように依頼される。音楽を特徴付けるために、ほとんどあらゆる方法を使用し得ることが明らかであろう。この例では、本発明によるシステムは、ウェブ準拠のＤＪ用ユーザインターフェースを含み、これを用いて、ネットワークを介して、分類を実施することができる。もちろん、ＤＪは、いつでもコンテンツプロバイダのもとにやって来て、変換後または変換中に歌を定義することができる。
【００１８】
パーソナルコンピュータまたは他の計算装置などのクライアント装置３が、システムに接続される。クライアント装置３は、ほぼ確実に、データベース４から物理的に離れて配置され、たとえば、本発明によるシステムを利用する公共サービスまたはその他の構内に配置される。接続は、既知のあらゆる通信ネットワークによって行うことができる。通信ネットワークは、有線通信ネットワーク（たとえばＬＡＮ）であってもよいし、無線の長波または短波ネットワーク（たとえばＧＰＲＳ、ＵＭＴＳ、ＥＤＧＥ、ＷＣＤＭＡ、ＣＤＭＡ；ＷＬＡＮ、ＨｉｐｅｒＬａｎ／２など）であってもよい。たとえば、２５６ｂｉｔ／ｓの伝送速度が必要となり得る。
【００１９】
サービス提供者は、クライアント装置３を使用して、たとえばインターネットに、さらにコンテンツプロバイダにアクセスする。クライアント用のユーザインターフェースが提供される。このインターフェースは、クライアント装置３内に設けられ、ある種のメディアコンテンツをリクエストするために使用することができる。ユーザインターフェースは、ウェブ準拠のサイトまたは特製のソフトウェアであってよく、伝送されるコンテンツの容易な選択を可能にする。サービス提供者は、既にコンテンツ提供の購買者となっていることが有利であるが、当然、コンテンツプロバイダ１との関係をリクエスト１３に並行して形成することも可能である。通常、コンテンツプロバイダ１には、１以上のクライアントが接続し得る。
【００２０】
コンテンツ用のクライアントのアカウント１１は、好ましくはクライアントごとに適応させて作成されており、更新し使用することが容易である。クライアント３は、コンテンツ用のいくつかのパラメータを規定することで、または、仮想ＤＪを選択することで、特定のメディアコンテンツをリクエストすることができる。パラメータは、ムードまたは１日における時間に関連し得る。これらのパラメータに基づいて、システムは音楽をデータベース４から動的に提供する。クライアントがシングル曲を選択する必要はなく（可能ではあるが）、このため、通常、提供されるコンテンツは変化する。たとえば、クライアントが昼食時に８０年代のヒット曲を欲する場合には、伝送されるコンテンツは、クライアントが深夜に８０年代のヒット曲を注文する場合よりも、活動的な歌を含むであろう。同様に、たとえば、ジャズナイト（jazz-night）が注文されたとき、コンテンツは、夜の時間経過と共に動的に変化する。換言すれば、本発明によれば、クライアントから寄せられるリクエスト１３が範囲を規定し、これに基づいて、システムがシングル曲の検索および選択を行うように構成されている。これは、クライアントが類似の範囲（たとえばジャズ）を何度も選択した場合に、伝送される歌は、その時々で異なり得ることを意味する。同様に、仮想ＤＪを選択することによって、楽曲はそのスタイルに対応する。仮想ＤＪは、たとえばサービスの画面に表示することが可能であり、そこで音楽に合わせてジャミング（jam）をすることができる。仮想ＤＪは、案内役となって、挨拶（たとえば、ＳＭＳメッセージ）のほか、必要なアナウンスおよび情報を、音声合成装置およびアニメーション経由で、再生中の音楽と共に提供するように構成してもよい。
【００２１】
リクエスト１３がなされると、楽曲がデータベース４から検索される。楽曲が見つかると、それはプレイリストを構成するために用いられ、このプレイリストは、次いで、クライアントのアカウント１１に格納されてクライアントの装置３へと流される。プレイリストは、動的に構成されてクライアントアカウント１１に入れられるが、これは、ストリーミングが始まるときに、プレイリストが完全であることを必ずしも必要としないことを意味する。クライアントへのストリーミングは、ただ１つまたは２つの歌の準備ができた時に、開始することができる。顧客には音楽を所望する可能性も与えられる。この状況にあっては、コンテンツプロバイダは、選択されたスタイルにその楽曲がいかに合致するかを知らせるように構成することができる。クライアントアカウント１１が動的に拡大されるので、顧客の希望は、非常に短い時間内に、アカウントに挿入することができる。
【００２２】
コンテンツプロバイダは、クライアントアカウント１１を監視して制御１２するように、すなわち、再生可能な楽曲が充分にあるかどうかを監視し、クライアントのリクエスト１３に応じてクライアントアカウント１１に楽曲を追加するように構成することも可能である。これらの機能は、ソフトウェアプログラムとして実現することができる。本説明においては、これらの機能は２つのプログラムとして実現されているが、この技術分野における熟練者には、これらの両方を処理する１つのプログラムも可能であることが理解されよう。追加機能は、クライアントに伝送する楽曲のプレイリストを動的に生成し、コンテンツを生成するためにパラメータとクライアントのスタイルとを利用する。追加機能は、最近再生された楽曲を記憶して、同一セッション内にその楽曲を含めないように構成することも可能である。制御機能は、クライアントアカウント１１を監視して、充分な歌がない場合に、追加機能を呼び出すように構成される。
【００２３】
本発明によるシステムは、さらに、再生された音楽の報告１７を作成するように構成される。報告１７は、クライアントと、クライアントが注文したコンテンツとを特定する。報告は、コンテンツプロバイダ１が見ることが可能であり、印刷して、請求のため、および、たとえば著作権協会への報告のために、使用することもできる。必要ならば、サービス提供者も報告にアクセスすることができる。
【００２４】
本発明によるシステムの他の例を、極めて簡略化した態様で図２に示す。このシステムは、オーディオファイルなどの必要なメディアコンテンツをクライアント２８０に提供するメディアサーバ２１０を含む。この例におけるメディア伝送は、インターネットを用いて行われる。システムは、クライアントについての情報、メディアコンテンツについての情報、および、それらに関するパラメータを含むデータベースサーバ２２０も含む。データベースは、また、全てのＤＪの再生パラメータおよび可能な再生時間を含む。クライアント装置は、再生したメディアコンテンツをデータベースに報告するように構成されている。この例では２つのエージェント２３０，２４０がシステムに設けられているが、状況によって、エージェントの数は多くても少なくてもよい。エージェント１（２３０）は、ＤＪのあり得る交代を監視し、また、クライアントが再生可能な充分なメディアコンテンツを有していることを監視し、あり得る変更についてエージェント２（２４０）に知らせる。必要な場合、エージェント２（２４０）は、問題のＤＪのパラメータに応じてメディアコンテンツを追加する。しかしながら、エージェント２（２４０）は、現在のクライアントのためにどのメディアコンテンツが既に再生されたか、および、何を再生するように求められているかを覚えておく。これらの検査に応じて、伝送されるメディアコンテンツが選択される。
【００２５】
システムのウェブサーバ２５０は、たとえばＳＱＬ−接続およびクライアント装置との通信を制御する。ウェブサーバ２５０は、ウェブ準拠のクライアントユーザインターフェースも含む。図２においては、ファイアウォールおよび帯域幅制限器（２６０）も示されている。クライアント制御装置（２７０）は、メディアコンテンツを追加するため、および、そのメディアコンテンツに特定の規則に従ってパラメータを与えるために、使用される。クライアント装置（２８０）は、クライアントの要望に従って、インターネットを介してメディアコンテンツを対話形式で受信する。
【００２６】
システムは、必要に応じて、モバイル端末によって制御することが可能であり、この端末を使用してリクエストを提出し、支払いをすることができる。オンラインＤＪは、たとえば、テレビジョンの夜間番組（たとえば、チャット番組）における背景音楽として利用することが可能であり、その際、モバイル端末経由でリクエストをし、または、たとえばその夜のためのＤＪを決定することができる。さらに、モバイル端末を用いてユーザ（聴取者）が制御することが可能な自動ラジオも、このシステムを用いて設定することができる。
【００２７】
音楽ライブラリまたはデータベースを、音楽ビデオまたは他のメディアコンテンツに拡張することも可能である。したがって、オーディオおよびビデオを同時に送信して、ＤＪがビデオジョッキーとして活動するようにすることもできる。音声合成器およびアニメーションと、オーディオおよびビデオの同時送信とを組み合わせることによって、ＤＪキャラクタがカラオケ案内役を務めて、実際の案内人のように、次の歌およびその歌の歌い手を示すようにするカラオケシステムを構成することが可能である。データベースはオーディオ本から構築することが可能であり、したがって、オーディオ本が分類されたシステムを生成し、そのシステムから、聴くべき本を家庭の端末にダウンロードして所望の時に聴くようにすることができる。
【００２８】
前述のように、システムは計算に基づくことができる。ＨＴＭＬ、ＸＭＬ、ＷＭＬなどのマークアップ言語を使用するウェブサイトとして、インターフェースを実現することが可能であり、これに基づいて、システムはウェブサイトとして動作し、閲覧者による閲覧が可能になる。サーバ中のプログラミング言語は、たとえば、ＰＨＰ（Hypertext Preprocessing）、ＭｙＳＱＬ（Structured Query Language）、または他のサーバプログラミング言語でよい。
【００２９】
この技術分野における熟練者には、本発明の可能な用途が判るであろう。たとえば、データベースは、モバイル端末などの他の計算装置からも到達可能である。システムの受信機は、たとえばＰＤＡ装置または類似のものでもよい。サービスは、レストランに加えて、消費者に向けることも可能である。消費者は、所望の期間にわたるアプリケーションの賃貸使用の形態で、要求に応じてＤＪに注文してもよい。さらに、クライアントは、音楽分野に代えて、シングル曲のみを注文することができる。さらにまた、メディアコンテンツには、ビデオ（音楽ビデオ）またはテキスト（カラオケサービス）などの、音楽以外のメディアを含めることも可能である。
【００３０】
また、前述のシステムおよびデータベースは実施形態の例に過ぎず、この技術分野における熟練者には、強化した機能を提供するために、他の多くのデータベースおよびシステムが本システムと適切に交信してもよいことが判るであろう。
【００３１】
したがって、前述の詳細な説明は、理解の明確化のためにのみ示されたものであると理解される。よって、発明自体は、一定のリクエストに基づいて動的コンテンツを選択することによって、クライアント個別のストリーミングメディアコンテンツを提供することを目指したものであると、理解すべきである。前述の詳細な説明から特許請求の範囲に無用の限定を読み込むべきではない。
【図面の簡単な説明】
【００３２】
【図１】本発明によるシステムの可能な構成の一例を示す図である。
【図２】本発明によるシステムの他の例を示す図である。
【図１】
2008514974.tif 000003
【図２】
2008514974.tif 000004
【手続補正書】
【提出日】平成19年6月11日(2007.6.11)
【手続補正１】
【補正対象書類名】特許請求の範囲
【補正対象項目名】全文
【補正方法】変更
【補正の内容】
【特許請求の範囲】
【請求項１】
ネットワークを介してメディアコンテンツを伝送し、コンテンツプロバイダ（１，２１０）と、少なくとも１つのクライアント装置（３，２８０）と、これらの間に設定されたネットワーク接続（２９０）とを含むシステムであって、メディア要素を格納するデータベース（４，２２０）をさらに含み、コンテンツプロバイダ（１，２１０）は、少なくとも１つのクライアント装置（３，２８０）からのコンテンツを求めるリクエスト（１３）を受信するように設定されるシステムにおいて、
コンテンツプロバイダ（１，２１０）は、どのパラメータがリクエストされたコンテンツに関連し、他のどの特徴に注目する必要があるかを決定して、決定したパラメータおよび他の特徴に応じて、伝送されるべきコンテンツを形成するメディア要素を選択するように設定されることを特徴とするシステム。
【請求項２】
前記他の特徴は、メディアコンテンツが伝送される側の状況に関連することを特徴とする請求項１記載のシステム。
【請求項３】
選択されたコンテンツを格納するための、クライアントごとのクライアントアカウント（１１）を有することを特徴とする請求項１または２記載のシステム。
【請求項４】
クライアントアカウント（１１）を制御する手段（１２，２３０）を備えることを特徴とする請求項３記載のシステム。
【請求項５】
クライアントアカウントに新たなメディア要素を挿入する手段（２４０）を備えることを特徴とする請求項３または４記載のシステム。
【請求項６】
同一セッションで再生されないように、最近伝送されたメディア要素を記憶することが可能であることを特徴とする請求項１〜５のいずれか１項に記載のシステム。
【請求項７】
メディアコンテンツの特徴を定義する手段（１５）を備えることを特徴とする請求項１〜６のいずれか１項に記載のシステム。
【請求項８】
リクエストは音楽スタイルを求める一定のリクエストであり、メディア要素は動的に選択されるシングル曲であることを特徴とする請求項１〜７のいずれか１項に記載のシステム。
【請求項９】
リクエストは仮想ディスクジョッキーを求めるリクエストであることを特徴とする請求項１〜８のいずれか１項に記載のシステム。
【請求項１０】
クライアント装置は、コンテンツプロバイダ（１）によって提供されるユーザインターフェースを含むことを特徴とする請求項１〜９のいずれか１項に記載のシステム。
【請求項１１】
公共サービスのために設定されることを特徴とする請求項１〜１０のいずれか１項に記載のシステム。
【請求項１２】
ネットワークを介して、メディアコンテンツをコンテンツプロバイダ（１）から少なくとも１つのクライアント装置（３）に伝送する方法であって、少なくとも１つのクライアント装置（３）からのコンテンツを求めるリクエスト（１３）がコンテンツプロバイダ（１）によって受信される方法において、
どのパラメータがリクエストされたコンテンツに関連し、他のどの特徴に注目する必要があるかが決定されて、決定されたパラメータおよび他の特徴に応じて、伝送されるべきコンテンツを形成するメディア要素が動的に選択されることを特徴とする方法。
【請求項１３】
メディアコンテンツが伝送される側の状況に関連する他の特徴が定義されることを特徴とする請求項１２記載の方法。
【請求項１４】
選択されたコンテンツが、クライアントアカウント（１１）に動的に格納されることを特徴とする請求項１２または１３記載の方法。
【請求項１５】
選択されたコンテンツには、クライアントアカウント（１１）に動的に格納されるメディア要素が含まれることを特徴とする請求項１２〜１４のいずれか１項に記載の方法。
【請求項１６】
クライアントアカウントが、メディア要素の量および最近伝送されたメディア要素を検査することによって制御されることを特徴とする請求項１５記載の方法。
【請求項１７】
新たなメディア要素がクライアントアカウントに追加されることを特徴とする請求項１６記載の方法。
【請求項１８】
メディアコンテンツが、種々の特色によって特徴付けられ、データベース（４）に格納されることを特徴とする請求項１２〜１７のいずれか１項に記載の方法。
【請求項１９】
音楽コンテンツを選択するための、少なくとも１つの仮想ディスクジョッキーを備えることを特徴とする請求項１２〜１８のいずれか１項に記載の方法。
【請求項２０】
ネットワークを介してメディアコンテンツを伝送するためのコンピュータプログラムプロダクトであって、クライアント装置からのコンテンツを求めるリクエストを受信する命令を含むコンピュータ読み取り可能なプログラムを格納するための記憶手段を含むコンピュータプログラムプロダクトにおいて、
どのパラメータがリクエストされたコンテンツに関連し、他のどの特徴に注目する必要があるかを決定して、決定したパラメータおよび他の特徴に応じて、伝送されるべきコンテンツを形成するメディア要素を選択する命令を含むことを特徴とするコンピュータプログラムプロダクト。
【手続補正２】
【補正対象書類名】明細書
【補正対象項目名】００１０
【補正方法】変更
【補正の内容】
【００１０】
より厳密には、本発明によるシステムは、コンテンツプロバイダが、どのパラメータがリクエストされたコンテンツに関連し、他のどの特徴に注目する必要があるかを決定して、決定したパラメータおよび他の特徴に応じて、伝送されるべきコンテンツを形成するメディア要素を選択するように構成されることを、主に特徴とする。本発明による方法は、どのパラメータがリクエストされたコンテンツに関連し、他のどの特徴に注目する必要があるかが決定されて、決定されたパラメータおよび他の特徴に応じて、伝送されるべきコンテンツを形成するメディア要素が選択されることを、主に特徴とする。コンピュータプログラムプロダクトは、どのパラメータがリクエストされたコンテンツに関連し、他のどの特徴に注目する必要があるかを決定して、決定したパラメータおよび他の特徴に応じて、伝送されるべきコンテンツを形成するメディア要素を選択する命令を含むことを、主に特徴とする。
【国際調査報告】
2008514974.tif 000005
2008514974.tif 000006
2008514974.tif 000007